(57)【要約】【課題】ディスプレイパネルの駆動装置を提供する。【解決手段】少なくとも一つレベル以上の電源から複数本の電極ラインそれぞれに電源を印加してディスプレイパネルを駆動し、第１の特定の電圧電源とそれぞれの前記電極ラインとの連結を制御する第１制御スイッチと、前記それぞれの電極ラインと第２の特定の電圧の電源との連結を制御する第２制御スイッチとを具備し、前記全ての電極ラインに前記第１制御スイッチが開かれ、前記第２制御スイッチが閉じられる信号が印加されるにあたり、前記電極ラインを２以上のグループに分け、前記第１制御スイッチが開かれ、前記第２制御スイッチが閉じられるタイミングを前記グループ別に異ならせるようにした。【選択図】図６
2007171919.tif 000002
【特許請求の範囲】
【請求項１】
少なくとも一つの電源から複数本の電極ラインのそれぞれに複数のレベルの電圧を印加してディスプレイパネルを駆動するディスプレイパネルの駆動装置であって、
第１の特定の電圧を出力する電源とそれぞれの前記電極ラインとの連結を制御する第１制御スイッチと、
前記それぞれの電極ラインと第２の特定の電圧を出力する電源との連結を制御する第２制御スイッチとを具備し、
前記全ての電極ラインに対して前記第１制御スイッチが開かれ前記第２制御スイッチが閉じられる信号が印加されるにあたり、
前記電極ラインを２以上のグループに分け、前記第１制御スイッチが開かれ前記第２制御スイッチが閉じられるタイミングを前記グループ別に異ならせることを特徴とするディスプレイパネルの駆動装置。
【請求項２】
前記電極ラインを第１グループと第２グループとに分け、前記第２グループの電極ラインに対し前記第１制御スイッチが開かれ、前記第２制御スイッチが閉じられるタイミングが、前記第１グループの電極ラインに対し前記第１制御スイッチが開かれ、前記第２制御スイッチが閉じられるタイミングに比較して遅れることを特徴とする請求項１に記載のディスプレイパネルの駆動装置。
【請求項３】
前記電極ラインが前記ディスプレイパネルの一方向に延びるように配置され、前記ディスプレイパネルの一端から他端の方向に、奇数番目の電極ラインが第１グループになり、偶数番目の電極ラインが第２グループになるように、前記電極ラインがグループ分けされることを特徴とする請求項２に記載のディスプレイパネルの駆動装置。
【請求項４】
前記電極ラインが前記ディスプレイパネルの一方向に延びるように配置され、前記電極ラインが一端から他端の方向に、その並び順によってグループ分けされることを特徴とする請求項１に記載のディスプレイパネルの駆動装置。
【請求項５】
前記電極ラインがそれぞれのグループに同じ本数の電極ラインが備えられるようにグループ分けされることを特徴とする請求項１に記載のディスプレイパネルの駆動装置。
【請求項６】
前記第１レベルが前記第２レベルよりも高い電圧レベルであることを特徴とする請求項１に記載のディスプレイパネルの駆動装置。
【請求項７】
Ｘ電極ライン及びＹ電極ラインと、アドレス電極ラインとが交差する領域に放電セルが形成され、前記電極ラインが、Ｘ電極ライン及びＹ電極ラインと、アドレス電極ラインのうち、少なくともいずれかの電極ラインであることを特徴とする請求項１に記載のディスプレイパネルの駆動装置。
【請求項８】
Ｘ電極ライン及びＹ電極ラインと、アドレス電極ラインとが交差する領域に放電セルが形成され、少なくとも一つの電源から複数本の前記Ｙ電極ラインのそれぞれに複数のレベルの電圧を印加してディスプレイパネルを駆動し、第１の特定の電圧を出力する電源とそれぞれの前記Ｙ電極ラインとの連結を制御する第１制御スイッチと、前記それぞれのＹ電極ラインと第２の特定の電圧を出力する電源との連結を制御する第２制御スイッチとを具備し、
前記全てのＹ電極ラインに前記第１制御スイッチが開かれ、前記第２制御スイッチが閉じられる信号が印加されるにあたり、前記Ｙ電極ラインを２以上のグループに分け、前記第１制御スイッチが開かれ前記第２制御スイッチが閉じられるタイミングを、前記グループ別に異ならせることを特徴とするディスプレイパネルの駆動装置。
【請求項９】
ディスプレイ周期としてのフレームごとに時分割階調ディスプレイのためにそれぞれの階調加重値による複数個のサブフィールドが存在し、前記それぞれのサブフィールドごとにリセット周期、アドレス周期、及び維持放電周期が存在し、
前記アドレス周期ごとに、前記パネルの一端から他端の方向に、前記Ｙ電極ラインに順次にスキャンパルスが印加され、それぞれの前記放電セルのうち表示しようとする放電セルの前記アドレス電極ラインにデータパルスが印加され、表示しようとする放電セルを選択することを特徴とする請求項８に記載のディスプレイパネルの駆動装置。
【請求項１０】
前記リセット周期が、前記Ｙ電極ラインに第５レベルの電圧から一定の傾度を有し、第３レベルの電圧まで持続的に上昇する立上りランプパルス波形の電圧が印加される第１リセット周期と、前記Ｙ電極ラインに第１レベルの電圧から一定の傾度を有し、第４レベルの電圧まで持続的に下降する立下りランプパルス波形の電圧が印加される第２リセット周期とを具備することを特徴とする請求項９に記載のディスプレイパネルの駆動装置。
【請求項１１】
前記第２リセット周期の開始点で前記第１制御スイッチが開かれ、前記第２制御スイッチが閉じられる信号が印加されることを特徴とする請求項１０に記載のディスプレイパネルの駆動装置。
【請求項１２】
前記Ｙ電極ラインを第１グループと第２グループとに分け、前記第２グループのＹ電極ラインに対し、前記第１制御スイッチが開かれ、前記第２制御スイッチが閉じられるタイミングが、前記第１グループのＹ電極ラインに対し、前記第１制御スイッチが開かれ、前記第２制御スイッチが閉じられるタイミングに比較して遅れることを特徴とする請求項１１に記載のディスプレイパネルの駆動装置。
【請求項１３】
前記Ｙ電極ラインが前記ディスプレイパネルの一方向に延びるように配置され、前記Ｙ電極ラインが一端から他端の方向に、順序によって前記第１グループと前記第２グループとに分けられることを特徴とする請求項１２に記載のディスプレイパネルの駆動装置。
【請求項１４】
前記Ｙ電極ラインが前記ディスプレイパネルの一方向に延びるように配置され、前記ディスプレイパネルの一端から他端の方向に、奇数番目のＹ電極ラインが第１グループになり、偶数番目のＹ電極ラインが第２グループになるように、前記Ｙ電極ラインがグループに分けられることを特徴とする請求項１２に記載のディスプレイパネルの駆動装置。
【請求項１５】
前記Ｙ電極ラインがそれぞれのグループに同じ本数の電極ラインが備えられるように各グループに分けられることを特徴とする請求項１２に記載のディスプレイパネルの駆動装置。
【請求項１６】
少なくとも一つの電源から複数本の電極ラインのそれぞれに複数のレベルの電圧を印加し、第１の特定の電圧を出力する電源とそれぞれの前記電極ラインとの連結を制御する第１制御スイッチと、前記それぞれの電極ラインと第２の特定の電圧を出力する電源との連結を制御する第２制御スイッチとを具備する駆動装置によって駆動され、
前記全ての電極ラインに前記第１制御スイッチが開かれ、前記第２制御スイッチが閉じられる信号が印加されるにあたり、前記電極ラインを２以上のグループに分け、前記第１制御スイッチが開かれ前記第２制御スイッチが閉じられるタイミングを、前記グループ別に異ならせることを特徴とするディスプレイパネルの駆動方法。
【請求項１７】
前記電極ラインを第１グループと第２グループとに分け、前記第２グループの電極ラインに対し、前記第１制御スイッチが開かれ、前記第２制御スイッチが閉じられるタイミングが、前記第１グループの電極ラインに対し、前記第１制御スイッチが開かれ、前記第２制御スイッチが閉じられるタイミングに比較して遅れることを特徴とする請求項１６に記載のディスプレイパネルの駆動方法。
【請求項１８】
前記電極ラインが前記ディスプレイパネルの一方向に延びるように配置され、前記ディスプレイパネルの一端から他端の方向に、奇数番目の電極ラインが第１グループになり、偶数番目の電極ラインが第２グループになるように、前記電極ラインがグループに分けられることを特徴とする請求項１７に記載のディスプレイパネルの駆動方法。
【請求項１９】
前記電極ラインが前記ディスプレイパネルの一方向に延びるように配置され、前記電極ラインが一端から他端の方向に、その並び順によってグループ分けされることを特徴とする請求項１７に記載のディスプレイパネルの駆動方法。
【請求項２０】
Ｘ電極ライン及びＹ電極ラインと、アドレス電極ラインとが交差する領域に放電セルが形成され、前記電極ラインが、Ｘ電極ライン及びＹ電極ラインと、アドレス電極ラインとのうち少なくとも一本以上であることを特徴とする請求項１６に記載のディスプレイパネルの駆動方法。
【請求項２１】
Ｘ電極ライン及びＹ電極ラインと、アドレス電極ラインとが交差する領域に放電セルが形成され、少なくとも一つ電源から複数本の前記Ｙ電極ラインのそれぞれに電源を印加してディスプレイパネルを駆動し、前記第１制御スイッチが開かれ、前記第２制御スイッチが閉じられる信号が印加される電極ラインが前記Ｙ電極ラインであることを特徴とする請求項１６に記載のディスプレイパネルの駆動方法。
【請求項２２】
ディスプレイ周期としてのフレームごとに時分割階調ディスプレイのためにそれぞれの階調加重値による複数個のサブフィールドが存在し、前記それぞれのサブフィールドごとにリセット周期、アドレス周期、及び維持放電周期が存在し、
前記アドレス周期に、前記パネルの一端から他端の方向に、前記Ｙ電極ラインに順次にスキャンパルスが印加され、それぞれの前記放電セルのうち表示しようとする放電セルの前記アドレス電極ラインにデータパルスが印加され、表示しようとする放電セルを選択することを特徴とする請求項２１に記載のディスプレイパネルの駆動方法。
【請求項２３】
前記リセット周期が、前記Ｙ電極ラインに第５レベルの電圧から一定の傾度を有し、第３レベルの電圧まで持続的に上昇する立上りランプパルス波形の電圧が印加される第１リセット周期と、前記Ｙ電極ラインに第１レベルの電圧から一定の傾度を有し、第４レベルの電圧まで持続的に下降する立下りランプパルス波形の電圧が印加される第２リセット周期とを具備することを特徴とする請求項２２に記載のディスプレイパネルの駆動方法。
【請求項２４】
前記第２リセット周期の開始点で前記第１制御スイッチが開かれ前記第２制御スイッチが閉じられる信号が印加されることを特徴とする請求項２３に記載のディスプレイパネルの駆動方法。
【請求項２５】
前記電極ラインを第１グループと第２グループとに分け、前記第２グループの電極ラインに対し、前記第１制御スイッチが開かれ、前記第２制御スイッチが閉じられるタイミングが、前記第１グループの電極ラインに対し、前記第１制御スイッチが開かれ、前記第２制御スイッチが閉じられるタイミングに比較して遅れることを特徴とする請求項２４に記載のディスプレイパネルの駆動方法。
【請求項２６】
前記電極ラインがそれぞれのグループに同じ本数の電極ラインが備えられるように各グループに分けられることを特徴とする請求項１６に記載のディスプレイパネルの駆動方法。
【発明の詳細な説明】
【技術分野】
【０００１】
本発明は、ディスプレイパネルの駆動装置、及びその方法に係り、さらに詳細には、高電圧、高周波数の電気的エネルギーを利用し、短時間の反復的な放電によって画像を表示するディスプレイパネルの駆動装置、及びその方法に関する。
【背景技術】
【０００２】
平板ディスプレイ装置としては、大型パネルの製作の容易なプラズマディスプレイパネル（ＰＤＰ：Ｐｌａｓｍａ  Ｄｉｓｐｌａｙ  Ｐａｎｅｌ）が注目されている。ＰＤＰは、放電現象を利用して画像を表現するディスプレイ装置である。一般的にＰＤＰは、駆動電圧の形態によって直流型と交流型とに分けられる。直流型の場合、放電時間の遅延時間が長いという短所があるために、主に交流型ＰＤＰの開発がなされている。
【０００３】
交流型ＰＤＰとしては、三電極を具備して交流電圧によって駆動される三電極交流面放電方式のＰＤＰが代表的である。一般的な三電極面放電方式のＰＤＰは、複層の板によりなっており、従来の画面表示装置である陰極線管（ＣＲＴ）に比べると、薄くて軽く、かつ広い画面を提供できるので、空間的に有利である。
【０００４】
通常のＰＤＰの一例として、三電極面放電方式のＰＤＰとその駆動装置、及び駆動方法が本出願人の特許文献１に開示されている。前記特許文献１に開示されているＰＤＰとその駆動装置、及び駆動方法に関する事項は、本明細書に含まれ、その詳細な説明は省略する。
【０００５】
ＰＤＰは、維持電極とアドレス電極とが交差する領域に形成される複数個のディスプレイセルを具備し、１つのディスプレイセルは、三個（赤色、緑色、青色）の放電セルにより構成され、前記放電セルの放電状態を調節することにより、画像の階調を表現する。
【０００６】
ＰＤＰの階調を表現するために、ＰＤＰに印加される１つのフレームを発光回数の異なる８個のサブフィールドで構成し、２５６階調を表現することができる。すなわち、２５６階調で画像を表示しようとする場合に、１／６０秒に該当するフレーム期間（１６．６７ｍｓ）は、８個のサブフィールドに分けられる。前記それぞれのサブフィールドごとに、リセット周期、アドレス周期、及び維持放電周期が存在してＰＤＰが駆動される。
【０００７】
ＰＤＰの単位光を増やさなければならないために放電のための放電維持電圧が高くなり、輝度を増大させなければならないために周波数が高くなる。また、かかるＰＤＰの駆動のために、それぞれの電極ラインには高電圧、高周波数成分の電圧が印加されることになる。そして、そのためにスイッチング素子による高速なスイッチングが必要となる。
【０００８】
一方、１本の電極ラインを介してパネルキャパシタに二種類のレベルの電源を印加するために、２個のスイッチング素子により、それぞれの電極ラインに印加される電源を制御する。このとき、ＰＤＰの駆動方法により、特定区間に全てのＹ電極ラインに同じ信号が印加されうる。また、特定区間に全てのＹ電極ラインに連結される前記スイッチング素子で、同時にオン（ＯＮ）及びオフ（ＯＦＦ）作動が可能である。
【０００９】
この場合、モードＹ電極ラインで、電流フローに急激な変化が発生し、それによって多量の電磁妨害雑音（ＥＭＩ：ＥｌｅｃｔｒｏＭａｇｎｅｔｉｃ  Ｉｎｔｅｒｆｅｒｅｎｃｅ）の放射が発生しうるという問題点がある。
【特許文献１】米国特許第６，７４４，２１８号明細書（名称：Ｍｅｔｈｏｄ  ｏｆ  ｄｒｉｖｉｎｇ  ａ  ｐｌａｓｍａ  ｄｉｓｐｌａｙ  ｐａｎｅｌ  ｉｎ  ｗｈｉｃｈ  ｔｈｅ  ｗｉｄｔｈ  ｏｆ  ｄｉｓｐｌａｙ  ｓｕｓｔａｉｎ  ｐｕｌｓｅ  ｖａｒｉｅｓ）
【発明の開示】
【発明が解決しようとする課題】
【００１０】
本発明は、同じ信号が印加される電極ラインを２以上のグループに分け、それぞれのグループ別に信号が印加されるタイミングを異ならせ、急激な電流変化によるＥＭＩ放射を低減させることができるディスプレイパネルの駆動装置及び、方法を提供することを目的とする。
【課題を解決するための手段】
【００１１】
本発明は、少なくとも一つの電源から複数本の電極ラインのそれぞれに複数のレベルの電圧を印加してディスプレイパネルを駆動し、第１レベルの電圧を出力する電源とそれぞれの前記電極ラインとの連結を制御する第１制御スイッチと、前記それぞれの電極ラインと第２レベルの電圧を出力する電源との連結を制御する第２制御スイッチとを具備し、前記全ての電極ラインに対して前記第１制御スイッチが開かれ前記第２制御スイッチが閉じられる信号が印加されるにあたり、前記電極ラインを２以上のグループに分け、前記第１制御スイッチが開かれ前記第２制御スイッチが閉じられるタイミングを前記グループ別に異ならせることを特徴とするディスプレイパネルの駆動装置を提供する。
【００１２】
前記電極ラインを第１グループと第２グループとに分け、前記第２グループの電極ラインに対し前記第１制御スイッチが開かれ、前記第２制御スイッチが閉じられるタイミングが、前記第１グループの電極ラインに対し前記第１制御スイッチが開かれ、前記第２制御スイッチが閉じられるタイミングに比較して遅れることが望ましい。
【００１３】
前記電極ラインが前記ディスプレイパネルの一方向に延びるように配置され、前記ディスプレイパネルの一端から他端の方向に、奇数番目の電極ラインが第１グループになり、偶数番目の電極ラインが第２グループになるように、前記電極ラインがグループ分けされることが望ましい。
【００１４】
前記電極ラインが前記ディスプレイパネルの一方向に延びるように配置され、前記電極ラインが一端から他端の方向に、その並び順によってグループ分けされることが望ましい。
【００１５】
前記電極ラインがそれぞれのグループに同じ本数の電極ラインが備えられるようにグループ分けされることが望ましい。
【００１６】
前記第１レベルが前記第２レベルよりも高い電圧レベルであることが望ましい。
【００１７】
Ｘ電極ライン及びＹ電極ラインと、アドレス電極ラインとが交差する領域に放電セルが形成され、前記電極ラインが、Ｘ電極ライン及びＹ電極ラインと、アドレス電極ラインのうち少なくともいずれかの電極ラインであることが望ましい。
【００１８】
本発明の他の側面は、Ｘ電極ライン及びＹ電極ラインと、アドレス電極ラインとが交差する領域に放電セルが形成され、少なくとも一つの電源から複数本の前記Ｙ電極ラインのそれぞれに複数のレベルの電圧を印加してディスプレイパネルを駆動し、第１レベルの電圧を出力する電源とそれぞれの前記Ｙ電極ラインとの連結を制御する第１制御スイッチと、前記それぞれのＹ電極ラインと第２レベルの電圧を出力する電源との連結を制御する第２制御スイッチとを具備し、前記全てのＹ電極ラインに前記第１制御スイッチが開かれ、前記第２制御スイッチが閉じられる信号が印加されるにあたり、前記Ｙ電極ラインを２以上のグループに分け、前記第１制御スイッチが開かれ前記第２制御スイッチが閉じられるタイミングを、前記グループ別に異ならせることを特徴とする特徴とするディスプレイパネルの駆動装置を提供する。
【００１９】
ディスプレイ周期としてのフレームごとに、時分割階調ディスプレイのためにそれぞれの階調加重値による複数個のサブフィールドが存在し、前記それぞれのサブフィールドごとにリセット周期、アドレス周期、及び維持放電周期が存在し、前記アドレス周期に、前記パネルの一端から他端の方向に、前記Ｙ電極ラインに順次にスキャンパルスが印加され、それぞれの前記放電セルのうち表示しようとする放電セルの前記アドレス電極ラインにデータパルスが印加され、表示しようとする放電セルを選択することが望ましい。
【００２０】
前記リセット周期が、前記Ｙ電極ラインに第１レベルの電圧から一定の傾度を有し、第３レベルの電圧まで持続的に上昇する立上りランプパルス波形の電圧が印加される第１リセット周期と、前記Ｙ電極ラインに第４レベルの電圧から一定の傾度を有し、第５レベルの電圧まで持続的に下降する立下りランプパルス波形の電圧が印加される第２リセット周期とを具備することが望ましい。
【００２１】
前記第２リセット周期の開始点で前記第１制御スイッチが開かれ、前記第２制御スイッチが閉じられる信号が印加されることが望ましい。
【００２２】
本発明の他の側面は、少なくとも一つの電源から複数本の電極ラインそれぞれに複数のレベルの電圧を印加し、第１レベルの電圧を出力する電源とそれぞれの前記電極ラインとの連結を制御する第１制御スイッチと、前記それぞれの電極ラインと第２レベルの電圧を出力する電源との連結を制御する第２制御スイッチとを具備する駆動装置によって駆動され、前記全ての電極ラインに前記第１制御スイッチが開かれ、前記第２制御スイッチが閉じられる信号が印加されるにあたり、前記電極ラインを２以上のグループに分け、前記第１制御スイッチが開かれ、前記第２制御スイッチが閉じられるタイミングを前記グループ別に異ならせることを特徴とするディスプレイパネルの駆動方法を提供する。
【発明の効果】
【００２３】
本発明によるディスプレイパネルの駆動装置及びその方法によれば、同じ信号が印加される電極ラインを２以上のグループに分け、それぞれのグループ別に信号が印加されるタイミングを異ならせているので、急激な電流変化によるＥＭＩ放射を低減させることができる。
【発明を実施するための最良の形態】
【００２４】
以下、添付された図面を参照しつつ、望ましい実施形態により本発明を詳細に説明する。
【００２５】
図１は、三電極面放電方式のＰＤＰの構造を示す内部斜視図である。
【００２６】
図面を参照すれば、面放電ＰＤＰ１の前方及び後方のガラス基板１０，１３間には、アドレス電極ラインＡＲ１〜ＡＢｍ、誘電層１１，１５、Ｙ電極ラインＹ１〜Ｙｎ、Ｘ電極ラインＸ１〜Ｘｎ、蛍光層１６、隔壁１７、及び保護層としての一酸化マグネシウム（ＭｇＯ）層１２が設けられている。
【００２７】
アドレス電極ラインＡＲ１〜ＡＢｍは、後方ガラス基板１３の前方に一定のパターンに形成される。下方誘電層１５は、アドレス電極ラインＡＲ１〜ＡＢｍの表側に全面塗布される。下方誘電層１５の前側には、隔壁１７がアドレス電極ラインＡＲ１〜ＡＢｍと平行方向に形成される。この隔壁１７は、各放電セル１４の放電領域を区画し、各放電セル１４間の光学的干渉（クロストーク）を防止する機能を果たす。蛍光層１６は、後方ガラス基板１３上に形成される下方誘電層１５と隔壁１７との間に形成される空間の内面に形成される。
【００２８】
Ｘ電極ラインＸ１〜ＸｎとＹ電極ラインＹ１〜Ｙｎは、アドレス電極ラインＡＲ１〜ＡＢｍと直交するように、前方ガラス基板１０の裏側に一定パターンに形成される。各交差点は、相応する放電セル１４を設定する。各Ｘ電極ラインＸ１〜Ｘｎと各Ｙ電極ラインＹ１〜Ｙｎは、ＩＴＯ（Ｉｎｄｉｕｍ  Ｔｉｎ  Ｏｘｉｄｅ）のような透明な導電性材質の透明電極ラインと伝導度を高めるための金属電極ラインとが結合されて形成される。ここで、Ｘ電極ラインＸ１〜Ｘｎは、それぞれの放電セル１４で維持電極になり、Ｙ電極ラインＹ１〜Ｙｎは、それぞれの放電セル１４で走査（ｓｃａｎ）電極になり、アドレス電極ラインＡＲ１〜ＡＢｍは、それぞれの放電セル１４でアドレス電極になる。
【００２９】
このとき、前記Ｙ電極ラインＹ１〜Ｙｎが表示しようとする放電セルを選択するために、スキャンパルスが順次に印加される走査電極になる。
【００３０】
図２は、図１のＰＤＰを駆動するためのＰＤＰの駆動装置を簡略に図示したブロック図である。
【００３１】
図面を参照すれば、ＰＤＰ１の駆動装置２０は、映像処理部２１、論理制御部２２、アドレス駆動部２６、Ｘ駆動部２８、及びＹ駆動部２４を備える。映像処理部２１は、外部アナログ映像信号をデジタル信号に変換して内部映像信号を発生させる。内部映像信号は、それぞれ８ビットの赤色（Ｒ）、緑色（Ｇ）及び青色（Ｂ）の映像データ、クロック信号、垂直及び水平の同期信号になりうる。論理制御部２２は、映像処理部２１からの内部映像信号により、駆動制御信号ＳＡ，ＳＹ，ＳＸを発生させる。
【００３２】
このとき、アドレス駆動部２６、Ｘ駆動部２８及びＹ駆動部２４などの駆動部で、前記駆動制御信号ＳＡ，ＳＹ，ＳＸが入力されてそれぞれの駆動信号を発生させ、発生した駆動信号をそれぞれの電極ラインに印加する。
【００３３】
すなわち、アドレス駆動部２６は、論理制御部２２から入力されるアドレス信号ＳＡによる表示データ信号をアドレス電極ラインに印加する。Ｘ駆動部２８は、論理制御部２２から入力されるＸ駆動制御信号ＳＸを処理し、Ｘ電極ラインに印加する。Ｙ駆動部２４は、論理制御部２２から入力されるＹ駆動制御信号ＳＹを処理し、Ｙ電極ラインに印加する。
【００３４】
図３は、図２のＰＤＰの駆動装置でのＹ駆動部２４を概略的に図示した回路図である。
【００３５】
図面を参照すれば、本発明のＰＤＰ１の駆動装置２０でのＹ駆動部６００は、維持パルス印加部６１０、第１スイッチング部６０５、第２スイッチング部６１７、第３電圧印加部６０７、第４電圧印加部６０９、走査スイッチング部６０１、第５電圧印加部６０３、第６電圧印加部６１５、及びエネルギー回収部６２０を具備する。
【００３６】
前記維持パルス印加部６１０は、第１電圧印加部６１１と接地電圧印加部（第２電圧印加部）６１２とを備える。前記第１電圧印加部６１１は、Ｙ電極（パネルキャパシタＣｐの第２端）に駆動信号を出力するために、第１レベルの電圧Ｖｓを第１ノードＮ１に出力する。前記接地電圧印加部６１２は、接地電圧Ｖｇを第１ノードＮ１に出力する。
【００３７】
前記第１スイッチング部６０５は、一端が第１ノードＮ１に接続され、他端が第２ノードＮ２に接続された第７スイッチング素子Ｓ７を備える。前記第２スイッチング部６１７は、一端が第２ノードＮ２に接続され、他端が第３ノードＮ３に接続された第１５スイッチング素子Ｓ１５を備える。
【００３８】
前記第３電圧印加部６０７は、第１ノードＮ１と第２ノードＮ２との間に接続され、第１レベルの電圧Ｖｓを第３レベルの電圧Ｖｓｅｔほど徐々に上昇させ、第２ノードＮ２に出力する。前記第４電圧印加部６０９は、第３ノードＮ３に接続され、第１レベルの電圧Ｖｓを第４レベルの電圧Ｖｎｆまで徐々に下降させ、第３ノードＮ３に出力する。
【００３９】
前記走査スイッチング部６０１は、互いに直列接続された第１制御スイッチとして機能する第１走査スイッチング素子ＳＣ１及び第２制御スイッチとして機能する第２走査スイッチング素子ＳＣ２を具備する。このとき、第１走査スイッチング素子ＳＣ１と第２走査スイッチング素子ＳＣ２との間に形成された第４ノードＮ４がパネルのＹ電極（パネルキャパシタＣｐの第２端）に接続される。走査スイッチング部６０１は、Ｙ電極ラインに対する電源の印加を制御できるスキャンＩＣからなりうる。このとき、全てのＹ電極ラインが複数個のブロックに分かれ、それぞれのブロックに対して１つのスキャンＩＣが連結されるように、走査スイッチング部６０１が複数個のスキャンＩＣからなりうる。
【００４０】
前記第５電圧印加部６０３は、第５レベルの電圧Ｖｓｃｈソースを具備して第１走査スイッチング素子ＳＣ１に接続され、第１走査スイッチング素子ＳＣ１に第５レベルの電圧Ｖｓｃｈを出力する。前記第６電圧印加部６１５は、第３ノードＮ３及び第２走査スイッチング素子ＳＣ２に接続され、第６レベルの電圧Ｖｓｃｌを出力する。
【００４１】
前記エネルギー回収部６２０は、パネルキャパシタＣｐ内に電荷を蓄積したり、またはパネルキャパシタＣｐ内の電荷を保存したりする。
【００４２】
第１電圧印加部６１１は、一端が第１電圧Ｖｓソースに接続され、他端が第１ノードＮ１に接続された第８スイッチング素子Ｓ８を具備する。接地電圧印加部６１２は、一端が接地に接続され、他端が第１ノードＮ１に接続された第９スイッチング素子Ｓ９を具備する。維持パルス印加部６１０は、維持パルスを発生させるために第８スイッチング素子Ｓ８と第９スイッチング素子Ｓ９とを交互にターンオンさせる。
【００４３】
前記第８スイッチング素子Ｓ８及び第９スイッチング素子Ｓ９は、それぞれドレイン端子、ゲート端子、及びソース端子を具備する電界効果トランジスタ（ＦＥＴ：Ｆｉｅｌｄ  Ｅｆｆｅｃｔｅｄ  Ｔｒａｎｓｉｓｔｏｒ）からなりうる。このとき、ドレイン端子は電源Ｖｓと連結され、ゲート端子は駆動部（図示せず）と連結され、ソース端子はＹ電極ラインＹｉと連結されうる。
【００４４】
第３電圧印加部６０７は、第４キャパシタＣ４と第１０スイッチング素子Ｓ１０とを具備する。前記第４キャパシタＣ４は、一端が第１ノードＮ１に接続され、他端が第３電圧Ｖｓｅｔソースに接続される。前記第１０スイッチング素子Ｓ１０は、第３電圧Ｖｓｅｔソースと第２ノードＮ２とに接続される。
【００４５】
第１スイッチング部６０５の第７スイッチング素子Ｓ７がターンオフされ、第２スイッチング部６１７の第１５スイッチング素子Ｓ１５がターンオンされ、第１電圧印加部６１１の第８スイッチング素子Ｓ８がターンオンされ、第３電圧印加部６０７の第１０スイッチング素子Ｓ１０がターンオンされ、走査スイッチング部６０１の第１走査スイッチング素子ＳＣ１がターンオンされることにより、第５レベルの電圧Ｖｓｃｈで第３レベルの電圧Ｖｓｅｔほど徐々に上昇し、最終的に、上昇最高電圧Ｖｓｅｔ＋Ｖｓｃｈが第４ノードＮ４を介して全てのＹ電極ラインに出力される。
【００４６】
第４電圧印加部６０９は、一端が第３ノードＮ３に接続され、他端が第４電圧Ｖｎｆソースに接続された第１１スイッチング素子Ｓ１１を具備する。第１電圧印加部６１１の第８スイッチング素子Ｓ８、第１スイッチング部６０５の第７スイッチング素子Ｓ７、第２スイッチング部６１７の第１５スイッチング素子Ｓ１５、及び第４電圧印加部６０９の第１１スイッチング素子Ｓ１１がターンオンされることにより、第１レベルの電圧Ｖｓから第４レベルの電圧Ｖｎｆまで徐々に下降した電圧が第３ノードＮ３に出力される。
【００４７】
このために、これに先立ち、全てのＹ電極ラインに対して第１走査スイッチング素子ＳＣ１がターンオフされ、第２走査スイッチング素子ＳＣ２がターンオンされ、スキャンＩＣ６０１によって第５レベルの電圧Ｖｓｃｈの印加が遮断される。このとき、スキャンＩＣ６０１での全体Ｙ電極ラインに対して急激な電流変化が発生し、それにより、ＥＭＩ放射量が増加しうる。
【００４８】
従って、本発明では、全てのＹ電極ラインを２以上のグループに分け、第１走査スイッチング素子ＳＣ１が開かれ、第２走査スイッチング素子ＳＣ２が閉じられるタイミングをグループ別に異ならせる。これにより、急激な電流変化によるＥＭＩ放射量を低減させることができる。
【００４９】
第６電圧印加部６１５は、第３ノードＮ３と第６電圧Ｖｓｃｌソースとの間に接続された第１２スイッチング素子Ｓ１２を具備する。第１２スイッチング素子Ｓ１２がターンオンされ、第３ノードＮ３に第６レベルの電圧Ｖｓｃｌを出力する。  走査スイッチング部６０１の第１走査スイッチング素子ＳＣ１がターンオンされ、第２走査スイッチング素子ＳＣ２がターンオフされれば、第５レベルの電圧Ｖｓｃｈが第４ノードＮ４を経てＹ電極（パネルキャパシタＣｐの第２端）に出力される。一方、走査スイッチング部６０１の第１走査スイッチング素子ＳＣ１がターンオフされ、第２走査スイッチング素子ＳＣ２がターンオンされれば、第３ノードＮ３に出力された各電圧、すなわち第１レベルの電圧Ｖｓ、接地電圧Ｖｇ、第４レベルの電圧Ｖｎｆ、第６レベルの電圧Ｖｓｃｌが第４ノードＮ４を経てＹ電極（パネルキャパシタＣｐの第２端）に出力される。
【００５０】
エネルギー回収部６２０は、エネルギー保存部６２１、エネルギー回収スイッチング部６２２、及びインダクタＬ２を具備する。前記エネルギー保存部６２１は、パネルキャパシタＣｐ内の電荷を保存する。前記エネルギー回収スイッチング部６２２は、エネルギー保存部６２１に接続され、エネルギー保存部６２１に保存された電荷をパネルキャパシタＣｐ内に蓄積したり、またはパネルキャパシタＣｐ内の電荷をエネルギー保存部６２１に保存したりすることを制御する。前記インダクタＬ２は、一端がエネルギー回収スイッチング部６２２に接続され、他端が第１ノードＮ１に接続される。
【００５１】
エネルギー保存部６２１は、パネル内の電荷を保存するように、キャパシタＣ５を具備できる。エネルギー回収スイッチング部６２２は、一端がエネルギー保存部６２１に接続され、他端がインダクタＬ２に接続された第１３スイッチング素子Ｓ１３、第１４スイッチング素子Ｓ１４を具備する。また、第１３スイッチング素子Ｓ１３と第１４スイッチング素子Ｓ１４とに方向の異なる２つの第３ダイオードＤ３及び第４ダイオードＤ４が接続されうる。
【００５２】
図４は、単位フレームを複数個のサブフィールドで構成して駆動するＰＤＰの駆動方法を示すタイミング図である。
【００５３】
図面を参照すれば、単位フレームＦＲは、時分割階調表示を実現するために、８つのサブフィールドＳＦ１〜ＳＦ８に分割される。また、各サブフィールドＳＦ１〜ＳＦ８は、リセット周期Ｒ１〜Ｒ８、アドレス周期Ａ１〜Ａ８、及び維持放電周期Ｓ１〜Ｓ８に分割される。
【００５４】
ＰＤＰの輝度は、単位フレームＦＲで占める維持放電周期Ｓ１〜Ｓ８の長さに比例する。単位フレームＦＲで占める維持放電周期Ｓ１〜Ｓ８の長さは、２５５Ｔ（Ｔは単位時間）である。このとき、第ｎサブフィールドＳＦｎの維持放電周期Ｓｎには、２ｎに相応する時間がそれぞれ設定される。これにより、８つのサブフィールドのうち表示されるサブフィールドを適切に選択すれば、いずれのサブフィールドでも表示されない０（ゼロ）階調を含み、全てで２５６階調の表示が行われうる。
【００５５】
図５は、図１のＰＤＰのＹ電極ラインが順番に２個のグループに分けられるところを概略的に図示した図面である。
【００５６】
図６は、本発明による望ましい実施形態であり、図５のＰＤＰに対して図３の各駆動部で出力する駆動信号を概略的に図示したタイミング図である。
【００５７】
図面を参照すれば、ＰＤＰを駆動するための単位フレームＦＲ（図４参照）は、時分割階調ディスプレイのために、それぞれの階調加重値による複数個のサブフィールドに分けられる。また、それぞれのサブフィールドＳＦは、リセット期間ＰＲ、アドレス期間ＰＡ及び維持期間ＰＳに分けられる。
【００５８】
リセット期間ＰＲは、第１リセット周期ＰＲ１と、第２リセット周期ＰＲ２とを具備し、全体放電セルを初期化する。
【００５９】
前記第１リセット周期ＰＲ１では、Ｙ電極ラインに第５レベルの電圧Ｖｓｃｈから一定の傾度を有し、第３レベルの電圧Ｖｓｃｈ＋Ｖｓｅｔまで持続的に上昇する立上りランプパルス波形の電圧（第１の特定の電圧）が印加される。このとき、Ｘ電極ラインとアドレス電極ラインは、接地レベルＶｇにバイアスされる。
【００６０】
前記第２リセット周期ＰＲ２では、Ｙ電極ラインに第１レベルＶｓから一定の傾度を有し、第４レベルＶｎｆまで持続的に下降する立下りランプパルス波形の電圧（第２の特定の電圧）が印加される。このとき、Ｘ電極ラインは、バイアス電圧Ｖｂによりバイアスされ、リセット放電が行われる。リセット放電により、全体放電セルを初期化する。
【００６１】
第２リセット周期ＰＲ２の開始点で、全てのＹ電極ラインに対して第１制御スイッチが開かれ、第２制御スイッチが閉じられる信号が印加される。このとき、第１制御スイッチは、図３に示した第１走査スイッチング素子ＳＣ１になり、第２制御スイッチは、図３に示した第２走査スイッチング素子ＳＣ２になりうる。
【００６２】
本実施形態では、図５に図示されたように、Ｙ電極ラインがパネルの一端から他端の方向に、順序によって第１グループＧ１１と第２グループＧ１２とに分けられる。このとき、Ｙ電極ラインの本数が偶数である場合には、それぞれのグループＧ１１，Ｇ１２が同じ本数のＹ電極ラインを有することが望ましい。また、グループ間のＹ電極ライン本数の違いが最も小さくなるように、Ｙ電極ラインが分けられることが望ましい。
【００６３】
第２グループＧ１２のＹ電極ラインに対して第１制御スイッチＳＣ１が開かれ第２制御スイッチＳＣ２が閉じられるタイミングを、第１グループＧ１１のＹ電極ラインに対して第１制御スイッチＳＣ１が開かれ第２制御スイッチＳＣ２が閉じられるタイミングと異ならせる。
【００６４】
例えば、図６に示されたように、第２グループＧ１２でのスイッチ制御タイミングが、第１グループＧ１１でのスイッチ制御タイミングより時間的に遅れるように、スイッチ制御タイミングが制御される。従って、全体Ｙ電極ラインに対する電流変化が段階的に分かれてなされるので、一時点での電流変化量が減り、それによってＥＭＩ放射量が低減されうる。
【００６５】
アドレス期間ＰＡでは、Ｙ電極Ｙ１，…，Ｙｎに走査パルスが順次に印加され、Ａ電極Ａ１，…，Ａｍには、前記走査パルスに合わせて表示データ信号が印加されてアドレス放電が行われる。アドレス放電により維持期間ＰＳで発生する維持放電の行われる放電セルが選択される。
【００６６】
アドレス期間ＰＡでは、全てのＹ電極ラインがスキャンハイ電圧Ｖｓｃｈ＋Ｖｓｃｌにバイアスされた状態で、全てのＹ電極ラインに対して順次にスキャンハイ電圧Ｖｓｃｈ＋Ｖｓｃｌより低いレベルのスキャンロー電圧Ｖｓｃｌの走査パルスが印加される。このとき、表示データ信号は、正極性のアドレス電圧Ｖａを有するデータパルスが走査パルスに合わせて印加される。
【００６７】
維持期間ＰＳでは、Ｘ電極ライン及びＹ電極ラインに維持パルスが交互に印加されて維持放電が行われる。維持放電によってサブフィールドごとに割り当てられた階調加重値により、輝度が表現される。維持パルスは、維持放電電圧Ｖｓと接地電圧Ｖｇとを交互に有する。
【００６８】
一方、図６に図示されているものと異なる駆動信号が図３の各駆動部で出力されることもあり、図６に図示されているものに限定されるものではない。
【００６９】
図７は、図１のＰＤＰのＹ電極ラインが奇数番目の電極ラインと偶数番目の電極ラインとの二グループに分けられるところを概略的に図示した図面である。図８は、本発明による望ましい他の実施形態であり、図７のＰＤＰに対して図３の各駆動部で出力する駆動信号を概略的に図示したタイミング図である。
【００７０】
図面を参照すれば、ＰＤＰの駆動方法は、少なくとも１つのレベル以上の電源から複数本の電極ラインそれぞれに電源を印加する。第２リセット周期ＰＲ２の開始点で全てのＹ電極ラインに第１制御スイッチＳＣ１が開かれ、第２制御スイッチＳＣ２が閉じられる信号が印加されるが、Ｙ電極ラインを２以上のグループＧ２１，Ｇ２２に分け、第１制御スイッチＳＣ１が開かれ、第２制御スイッチＳＣ２が閉じられるタイミングをグループ別Ｇ２１，Ｇ２２に異ならせる。
【００７１】
本実施形態は、図５及び図６に図示された実施形態とは、以下で説明されるＹ電極ラインがグループに分けられる方法が異なり、以下で説明される以外の事項は、図５及び図６を参照する。
【００７２】
本実施形態では、図７に図示されたように、パネルの一端から他端の方向に、奇数番目の電極ラインが第１グループＧ２１になり、偶数番目の電極ラインが第２グループＧ２２になるように、Ｙ電極ラインが分けられる。このとき、Ｙ電極ラインの本数が偶数である場合には、それぞれのグループＧ１１，Ｇ１２が同本数のＹ電極ラインを有することが望ましい。また、グループ間のＹ電極ライン本数の違いが最も小さくなるようにＹ電極ラインが分けられることが望ましい。
【００７３】
図８に図示されたように、第２グループＧ２２でのスイッチ制御タイミングが第１グループＧ２１でのスイッチ制御タイミングより時間的に遅れるように、スイッチ制御タイミングが制御される。従って、全体Ｙ電極ラインに対する電流変化が段階的に分けられてなされるので、一時点での電流変化量が減り、それによってＥＭＩ放射量が低減されうる。
【００７４】
一方、アドレス期間ＰＡには、全てのＹ電極ラインがスキャンハイ電圧Ｖｓｃｈ＋Ｖｓｃｌにバイアスされた状態で、まず奇数番目のＹ電極ラインに対して順次にスキャンハイ電圧Ｖｓｃｈ＋Ｖｓｃｌより低いレベルのスキャンロー電圧Ｖｓｃｌの走査パルスが印加される。次に、偶数番目のＹ電極ラインに対して順次にスキャンハイ電圧Ｖｓｃｈ＋Ｖｓｃｌより低いレベルのスキャンロー電圧Ｖｓｃｌの走査パルスが印加される。このとき、表示データ信号は、正極性のアドレス電圧Ｖａを有するデータパルスが走査パルスに合わせて印加される。
【００７５】
本発明は添付された図面に図示された一実施形態を参考に説明されたが、それらは、例示的なものに過ぎず、当技術分野で当業者ならば、それらから多様な変形及び均等な他実施形態が可能であるという点が理解できるであろう。従って、本発明の真の保護範囲は、特許請求の範囲によってのみ決まるものである。
【産業上の利用可能性】
【００７６】
本発明のディスプレイパネルの駆動装置及びその方法は、例えば、ディスプレイ関連の技術分野に効果的に適用可能である。
【図面の簡単な説明】
【００７７】
【図１】本発明によるディスプレイパネルの駆動装置が適用される三電極面放電方式のＰＤＰの構造を示す内部斜視図である。
【図２】図１のＰＤＰを駆動するためのＰＤＰの駆動装置を簡略に図示したブロック図である。
【図３】図２のＰＤＰの駆動装置でのＹ駆動部を概略的に図示した回路図である。
【図４】単位フレームを複数個のサブフィールドで構成して駆動するＰＤＰの駆動方法を示すタイミング図である。
【図５】図１のＰＤＰのＹ電極ラインが順番に二グループに分けられることを概略的に図示した図面である。
【図６】本発明による望ましい実施形態であり、図５のＰＤＰに対して図２の各駆動部で出力する駆動信号を概略的に図示したタイミング図である。
【図７】図１のＰＤＰのＹ電極ラインが奇数番目の電極ラインと偶数番目の電極ラインとの二グループに分けられることを概略的に図示した図面である。
【図８】本発明による望ましい他の実施形態であり、図７のＰＤＰに対して図２の各駆動部で出力する駆動信号を概略的に図示したタイミング図である。
【符号の説明】
【００７８】
１    ＰＤＰ
１０，１３    ガラス基板
１１，１５    誘電層
１２    保護膜
１４    放電セル
１６    蛍光層
１７    隔壁
２０    映像処理部
２２    論理制御部
２４，６００    Ｙ駆動部
２６    アドレス駆動部
２８，５００    Ｘ駆動部
６０１    走査スイッチング部
６０３    第５電圧印加部
６０５    第１スイッチング部
６０７    第３電圧印加部
６０９    第４電圧印加部
６１０    維持パルス印加部
６１１    第１電圧印加部
６１２    接地電圧印加部（第２電圧印加部）
６１５    第６電圧印加部
６１７    第２スイッチング部
６２０    エネルギー回収部
６２２    エネルギー回収スイッチング部
【図１】
2007171919.tif 000003
【図２】
2007171919.tif 000004
【図３】
2007171919.tif 000005
【図４】
2007171919.tif 000006
【図５】
2007171919.tif 000007
【図６】
2007171919.tif 000008
【図７】
2007171919.tif 000009
【図８】
2007171919.tif 000010